(57)【要約】【課題】  運搬時に嵩張らないように容易に分解できる構造を備えたプロテクタを提供すること。【解決手段】  カバー１１から取り外されると共に円柱軸１３ｄと軸受部１５ｃとの係合が解除されることにより第１配索部材１３と第２配索部材１５とが分離される。【選択図】図２
2006067662.tif 000002
【特許請求の範囲】
【請求項１】
電線を配索可能な配索経路を有し且つ該配索経路の一端に軸部を有する第１配索部材と、前記電線を配索可能な配索経路を有し且つ該配索経路の一端に前記第１配索部材の軸部を回動自在に支持するように前記軸部と係合可能な軸受部を有する第２配索部材と、を有する第１プロテクタ部材と、
前記軸部と前記軸受部とが係合されている状態で前記第１プロテクタ部材の前記第１配索部材および前記第２配索部材にそれらの前記配索経路それぞれを覆うように取付可能な第２プロテクタ部材と、
を備え、
前記第２プロテクタ部材から取り外されると共に前記軸部と前記軸受部との係合が解除されることにより前記第１配索部材と前記第２配索部材とが分離されることを特徴とするプロテクタ。
【請求項２】
前記第１配索部材の軸部が当該第１配索部材の配索経路の延長方向と交差する方向に横たわり、前記第２配索部材の軸受部が当該第２配索部材の配索経路の延長方向と交差する方向に横たわり、そして前記第２プロテクタ部材が、前記軸部と前記軸受部との係合箇所で屈曲された前記第１プロテクタ部材に取り付けられることを特徴とする請求項１に記載したプロテクタ。
【請求項３】
前記軸部が円柱軸を含み、そして前記軸受部が、前記円柱軸の円周方向の少なくとも１８０°の範囲で前記円柱軸と回動自在に係合すると共に、前記軸受部と前記円柱軸との非係合部に前記円柱軸の前記軸受部内への取り付けを許容する開放部を有する断面略Ｕ字形に形成されていることを特徴とする請求項１または請求項２に記載したプロテクタ。
【請求項４】
前記第１配索部材および前記第２配索部材が前記円柱軸と前記軸受部との係合箇所で所定の屈曲方向と逆方向に相対回動されたとき前記第１配索部材の所定の部分と前記第２配索部材の所定の部分とが当接し、それにより前記円柱軸が前記軸受部から前記開放部を介して前記軸受部外へ移動して前記第１配索部材と前記第２配索部材との係合が解除されることを特徴とする請求項３に記載のプロテクタ。
【請求項５】
前記第１配索部材を形成する材料と前記第２配索部材を形成する材料が異なることを特徴とする請求項１〜請求項４のいずれか一つに記載したプロテクタ。
【発明の詳細な説明】
【技術分野】
【０００１】
本発明は、ワイヤーハーネス（電線）を収容および保護するためのプロテクタに関し、より詳細には、ヒンジを有するプロテクタの改良に関する。
【背景技術】
【０００２】
自動車等の車両には種々の電気部品が装備されており、これらの電気部品へは、それらを互いに電気的に接続するために、多数の電線が車両内の狭い空間をぬうようにして所々で曲げられながら配索される。各電気部品から導出された電線を整理して配索すると共に、他の部品との干渉や外部から作用する力による電線の損傷を防止するため、電線には一般にプロテクタが装着される。特に電線の曲げ部は損傷を受け易いので、その曲げ部に応じて屈曲した形状に形成されたプロテクタで電線をカバーして保護する。
【０００３】
このようなプロテクタの一例として、カバーの２つの板部間に薄肉のヒンジが一体的に形成され、該ヒンジの所で屈曲した状態のカバーでプロテクタ本体内の屈曲された配索経路を覆うようにしたプロテクタが知られている（特許文献１参照）。
【特許文献１】特開平３−８４２１２号公報（第２頁、第１図）
【０００４】
また、このようなプロテクタの他の一例が図８および図９に示される。図８に示されるように、プロテクタ１は、電線（不図示）の配索経路を形成する断面略コの字形の第１配索部材２および電線（不図示）の配索経路を形成する断面略コの字形の第２配索部材３を有するプロテクタ本体と、カバー（不図示）と、を備える。第１配索部材２および第２配索部材３は、薄肉のヒンジ４で連結されるようにポリプロピレン（ＰＰ）等の合成樹脂により一体成形されている。このようなプロテクタ１を用いる電線の配索の一例は、図９に示されるように、第１配索部材２および第２配索部材３と一体に形成されたヒンジ４の所で第２配索部材３を矢印Ａ方向に例えば９０°回動させてプロテクタ本体を略Ｓ字形に形成し、これによって形成された略Ｓ字形の配索経路に沿って電線（不図示）を曲げながら配索する。この場合、カバー（不図示）も略Ｓ字形を有するものを用い、当該カバーをプロテクタ本体の第１配索部材２および第２配索部材３にそれらの配索経路それぞれを覆うように取り付けて、プロテクタ１の組立てが完了する。
【発明の開示】
【発明が解決しようとする課題】
【０００５】
近年、資源の有効利用の観点から、自動車等の車両の構成部品にもリサイクルの容易性が求められている。リサイクルを容易に行なうためには、主に、部品が容易に分解できること、異なる材料の部品を混在させずに分別すること、等が望まれる。より具体的には、部品を形成する複数の構成要素が材料ごとに容易に分解可能なこと、分解後の部品の構成要素が運搬性に優れること、等が求められる。
【０００６】
上述した従来のプロテクタは、いずれも、カバー或いはプロテクタ本体を形成する複数の部分が一体型ヒンジによって連結されて構成されているので、そのままの形状では運搬時に嵩張り、運搬効率が悪い。また、分解するには一体型ヒンジを切断しなければならず、分解し難いといった問題があり、リサイクルに適した形態ではなかった。
【０００７】
本発明は、上述した事情に鑑みてなされたものであり、その目的は、運搬時に嵩張らないように容易に分解できる構造を備えたプロテクタを提供することにある。
【課題を解決するための手段】
【０００８】
前述した目的を達成するため、本発明に係るプロテクタは、下記（１）、（２）、（３）、（４）、および（５）を特徴としている。
【０００９】
（１）  電線を配索可能な配索経路を有し且つ該配索経路の一端に軸部を有する第１配索部材と、前記電線を配索可能な配索経路を有し且つ該配索経路の一端に前記第１配索部材の軸部を回動自在に支持するように前記軸部と係合可能な軸受部を有する第２配索部材と、を有する第１プロテクタ部材と、
前記軸部と前記軸受部とが係合されている状態で前記第１プロテクタ部材の前記第１配索部材および前記第２配索部材にそれらの前記配索経路それぞれを覆うように取付可能な第２プロテクタ部材と、
を備え、
前記第２プロテクタ部材から取り外されると共に前記軸部と前記軸受部との係合が解除されることにより前記第１配索部材と前記第２配索部材とが分離されること。
（２）  上記（１）の構成のプロテクタにおいて、前記第１配索部材の軸部が当該第１配索部材の配索経路の延長方向と交差する方向に横たわり、前記第２配索部材の軸受部が当該第２配索部材の配索経路の延長方向と交差する方向に横たわり、そして前記第２プロテクタ部材が、前記軸部と前記軸受部との係合箇所で屈曲された前記第１プロテクタ部材に取り付けられること。
（３）  上記（１）または（２）の構成のプロテクタにおいて、前記軸部が円柱軸を含み、そして前記軸受部が、前記円柱軸の円周方向の少なくとも１８０°の範囲で前記円柱軸と回動自在に係合すると共に、前記軸受部と前記円柱軸との非係合部に前記円柱軸の前記軸受部内への取り付けを許容する開放部を有する断面略Ｕ字形に形成されていること。
（４）  上記（３）の構成のプロテクタにおいて、前記第１配索部材および前記第２配索部材が前記円柱軸と前記軸受部との係合箇所で所定の屈曲方向と逆方向に相対回動されたとき前記第１配索部材の所定の部分と前記第２配索部材の所定の部分とが当接し、それにより前記円柱軸が前記軸受部から前記開放部を介して前記軸受部外へ移動して前記第１配索部材と前記第２配索部材との係合が解除されること。
（５）  上記（１）〜（４）いずれかの構成のプロテクタにおいて、前記第１配索部材を形成する材料と前記第２配索部材を形成する材料が異なること。
【００１０】
上記（１）の構成のプロテクタによれば、メカニカルヒンジを形成する第１配索部材の軸部と第２配索部材の軸受部との係合が解除可能であり、よって第１配索部材と第２配索部材とが分離可能であるため、第１プロテクタ部材を運搬時に嵩張らないように第１配索部材と第２配索部材とに容易に分解できる。従って、プロテクタ（より詳細には、第１プロテクタ部材）の運搬性が向上する。このプロテクタの運搬性の向上は、プロテクタのリサイクルの上でも好ましい。また、第１配索部材と第２配索部材とが薄肉のヒンジと共に一体成形されたプロテクタ部材と異なり、本発明に係る第１プロテクタ部材では第１配索部材と第２配索部材とを別々に成形できるので、第１配索部材と第２配索部材とに要求される例えば、耐熱性、機械的強度、等の特性がそれぞれ異なっても、要求される特性に適合する材料で第１配索部材および第２配索部材それぞれを容易に製作することができる。その上、第１配索部材および第２配索部材をそれらを形成する材料の種類に基づき容易に分別できるので、プロテクタのリサイクル性が向上し、資源を有効に活用することができる。更に、軸部および軸受部を標準化すれば、例えば第１配索部材を共用部品として使用しながらも、要求される電線の配索経路の形状に応じて形成された第２配索部材を準備することにより様々な形状のプロテクタを安価に作製することができる。よって、形状の異なる第１配索部材を複数準備し且つ形状の異なる第２配索部材を複数準備しておけば、要求される電線の配索経路や要求される特性に係る様々な仕様に応じて、第１配索部材と第２配索部材とを任意に組み合わせてプロテクタ（より詳細には、第１プロテクタ部材）を形成することができる。
上記（２）の構成のプロテクタによれば、第２プロテクタ部材が、軸部と軸受部との係合箇所で屈曲された第１プロテクタ部材に取り付けられ、当該屈曲された第１プロテクタ部材が形成する配索経路に沿って電線を曲げながら配索することができるので、複雑な形状の配索経路を比較的簡単な形状の第１配索部材および第２配索部材の組み合わせにより形成することができる。
上記（３）の構成のプロテクタによれば、第１配索部材と第２配索部材とを更に容易に連結または分離することができる。
上記（４）の構成のプロテクタによれば、極めて簡単な操作によって短時間でプロテクタを容易に分解することができる。
上記（５）の構成のプロテクタによれば、材料が異なる第１配索部材と第２配索部材を容易に分離できるので第１プロテクタ部材のリサイクルを容易にできる。
【発明の効果】
【００１１】
本発明によれば、メカニカルヒンジとして機能する軸部と軸受部との係合を解除することにより第１プロテクタ部材を運搬時に嵩張らないように第１配索部材と第２配索部材とに容易に分解できるので、プロテクタ（より詳細には、第１プロテクタ部材）の運搬性が向上する。その上、第１配索部材および第２配索部材をそれらを形成する材料の種類に基づき容易に分別できるので、プロテクタのリサイクル性が向上し、資源を有効に活用することができる。
【００１２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１３】
以下、本発明に係る複数の好適な実施形態を図面に基づいて詳細に説明する。
【００１４】
図１は本発明に係るプロテクタの第１実施形態（プロテクタ１００）の斜視図、図２は図１のプロテクタの分解斜視図、図３は図２のプロテクタのプロテクタ本体の分解斜視図、図４は図３において円ＩＶで囲まれた部分の拡大斜視図、図５は本発明に係るプロテクタの第２実施形態（プロテクタ２００）の分解斜視図、図６は図５において円ＶＩで囲まれた部分の拡大斜視図、そして図７は本発明に係るプロテクタの変形例の分解斜視図である。尚、図１〜図７は本発明の理解を容易にするためプロテクタの構造を簡略化して示している。
【００１５】
図１〜図６に示されるように、本発明に係るプロテクタの第１実施形態１００および第２実施形態２００各々は、
電線（不図示）を配索可能な配索経路１７を形成し且つ該配索経路１７の一端に円柱軸（軸部）１３ｄを有する第１配索部材１３，３３と、電線（不図示）を配索可能な配索経路１７を形成し且つ該配索経路１７の一端に第１配索部材１３，３３の円柱軸（軸部）１３ｄを回動自在に支持するように円柱軸（軸部）１３ｄと係合可能な軸受部１５ｃを有する第２配索部材１５，３５と、を有するプロテクタ本体（第１プロテクタ部材）１１０，２１０と、
円柱軸（軸部）１３ｄと軸受部１５ｃとが係合されている状態でプロテクタ本体（第１プロテクタ部材）１１０，２１０の第１配索部材１３，３３および第２配索部材１５，３５にそれらの配索経路１７，１７それぞれを覆うように取付可能なカバー（第２プロテクタ部材）１１，３１と、
を備え、
カバー（第２プロテクタ部材）１１，３１から取り外されると共に円柱軸（軸部）１３ｄと軸受部１５ｃとの係合が解除されることにより第１配索部材１３，３３と第２配索部材１５，３５とが分離される。
【００１６】
また、特に図１、図２および図５に示されるように、本発明に係るプロテクタの第１実施形態１００および第２実施形態２００各々では、第１配索部材１３，３３の円柱軸（軸部）１３ｄが当該第１配索部材１３，３３の配索経路１７の延長方向と交差する方向に横たわり、第２配索部材１５，３５の軸受部１５ｃが当該第２配索部材１５，３５の配索経路１７の延長方向と交差する方向に横たわり、そしてカバー（第２プロテクタ部材）１１，３１が、円柱軸（軸部）１３ｄと軸受部１５ｃとの係合箇所で屈曲されたプロテクタ本体（第１プロテクタ部材）１１０，２１０に取り付けられる。
【００１７】
また、特に図４および図６に示されるように、本発明に係るプロテクタの第１実施形態１００および第２実施形態２００各々では、軸受部１５ｃが、円柱軸（軸部）１３ｄの円周方向の少なくとも１８０°の範囲で円柱軸（軸部）１３ｄと回動自在に係合すると共に、軸受部１５ｃと円柱軸（軸部）１３ｄとの非係合部に円柱軸（軸部）１３ｄの軸受部１５ｃ内への取り付けを許容する開放部２３を有する断面略Ｕ字形に形成されている。
【００１８】
また、特に図５および図６に示されるように、本発明に係るプロテクタの第２実施形態２００では、第１配索部材３３および第２配索部材３５が円柱軸（軸部）１３ｄと軸受部１５ｃとの係合箇所で所定の屈曲方向と逆方向に相対回動されたとき第１配索部材３３の所定の部分（円弧状縁面３３ａ）と第２配索部材３５の所定の部分（端面３５ａ）とが当接し、それにより円柱軸（軸部）１３ｄが軸受部１５ｃから開放部２３を介して軸受部１５ｃ外へ移動して第１配索部材３３と第２配索部材３５との係合が解除される。
【００１９】
尚、上記の円柱軸（軸部）１３ｄと軸受部１５ｃを更にカバー（第２プロテクタ部材）１１，３１に形成してもよい。また、第１プロテクタ部材としてカバー１１，３１を形成し、そして第２プロテクタ部材としてプロテクタ本体１１０，２１０を形成してもよい。尚、カバー１１，３１もプロテクタ本体１１０，２１０と同様に電線（不図示）を配索可能な配索経路を有するものであることは言うまでもない。
【００２０】
このように構成された第１実施形態および第２実施形態それぞれの詳細について以下に説明する。
【００２１】
（第１実施形態）
図１〜図４に示されるように、本発明の第１実施形態であるプロテクタ１００では、メカニカルヒンジを形成する円柱軸（軸部）１３ｄおよび軸受部１５ｃにより第１配索部材１３と第２配索部材１５とが連結され且つ電線（不図示）を配索可能な曲がった配索経路１７が形成されるように略直角に屈曲され、これによりプロテクタ本体１１０が形成される。そして、配索経路１７を電線（不図示）の径方向に覆うようにプロテクタ本体１１０の断面コの字形の外壁の開口１９，２１がカバー１１で塞がれる。尚、プロテクタ本体１１０およびカバー１１には例えば上記特許文献１で開示されているような係止片および係止突起等といった係止手段（不図示）が設けられ、当該係止手段（不図示）によりプロテクタ本体１１０およびカバー１１が取り付けの際に互いに係止される。
【００２２】
第１配索部材１３は、例えばポリプロピレン（ＰＰ）等の合成樹脂を射出成形して形成された断面コの字形を有する部材であり、より詳細には、矩形板状の底板１３ａおよび当該底板１３ａの両側端から立設された側壁１３ｂ，１３ｂを有している。側壁１３ｂ，１３ｂを介して底板１３ａと対向する側は外部に開放されて開口１９となっている。そして、底板１３ａの内面および両側壁１３ｂの内側面によって画成されて電線（不図示）を配索するための空間として配索経路１７が形成されている。第１配索部材１３の一端における両側壁１３ｂには底板１３ａを越えて延長するように略半円形状の一対の板状突起部１３ｃが形成されている。そして、円柱軸１３ｄの両端が、それぞれ板状突起部１３ｃに一体に結合されている。尚、円柱軸１３ｄの長さＬ１が長く、円柱軸１３ｄがその直径方向に撓み易い場合は、底板１３ａから側壁１３ｂ（即ち板状突起部１３ｃ）と平行に支持リブ１３ｅを延設して円柱軸１３ｄの中間部を支持するようにするとよい。
【００２３】
第２配索部材１５は、第１配索部材１３と同様にポリプロピレン（ＰＰ）等の合成樹脂を射出成形して形成された部材であってもよいが、或いは機械的強度を向上させるためにポリプロピレン（ＰＰ）等の合成樹脂にガラス繊維、タルク、等を混合したもの等を射出成形して形成された部材としてもよい。第２配索部材１５は、第１配索部材１３と同様に断面コの字形を有するが、より詳細には、断面Ｌ字形を有する底板１５ａおよび当該底板１５ａの両側端から立設された側壁１５ｂ，１５ｂを有する。側壁１５ｂ，１５ｂを介して底板１５ａと対向する側は外部に開放されて開口２１となっている。そして、底板１５ａの内面および両側壁１５ｂ，１５ｂの内側面によって画成されて電線（不図示）を配索するための空間として配索経路１７が形成されている。
【００２４】
図４に示されるように、第２配索部材１５の底板１５ａの一端は、延設されて軸受部１５ｃが形成されている。軸受部１５ｃは、少なくとも円周方向１８０°の範囲の円弧形を有する円弧部１５ｄが形成されたＵ字形軸受部１５ｅと、円周方向３０°程度の範囲の円弧形を有する円弧部１５ｆが形成された突起部１５ｇと、を備える。突起部１５ｇはＵ字形軸受部１５ｅに対向して配置されている。即ち、円弧部１５ｄと円弧部１５ｆは、同一円の円周上に配置され、該同一円の円周の一部を形成している。円弧部１５ｄと円弧部１５ｆによりカバーされない該同一円の円周の一部、換言すれば、Ｕ字形軸受部１５ｅと突起部１５ｇとの切れ目である開放部２３は、開口２１側に向けて開放されている。Ｕ字形軸受部１５ｅの外寸法Ｌ２は、第１配索部材１３の一対の板状突起部１３ｃ，１３ｃの内寸法、即ち、円柱軸１３ｄの長さＬ１よりも僅かに小さく、また、第１配索部材１３の両側壁１３ｂ，１３ｂの外寸法Ｌ３と第２配索部材１５の両側壁１５ｂ，１５ｂの外寸法Ｌ４とは略同じ寸法となっている。
【００２５】
尚、本実施形態では円柱軸１３ｄの補強のため支持リブ１３ｅが設けられているので、Ｕ字形軸受部１５ｅと突起部１５ｇの支持リブ１３ｅに対向する部分にスリット２５が設けられている。このスリット２５によって、第１配索部材１３と第２配索部材１５が組み付けられたとき、支持リブ１３ｅとの干渉が防止される。
【００２６】
カバー１１は、板状部材１１ａと、側壁１１ｂ，１１ｂとを備えるが、配索経路１７がクランク状に形成されている本実施形態においては、板状部材１１ａが略クランク状に折り曲がるように形成され、その内角部には板状部材１１ａの両端から側壁１１ｂが立設されている。
【００２７】
プロテクタ１００の組立て手順について説明する。先ず、第１配索部材１３の円柱軸１３ｄを第２配索部材１５に形成された開放部２３から軸受部１５ｃ（即ち、Ｕ字形軸受部１５ｅと突起部１５ｇ）に挿入し、円柱軸１３ｄと軸受部１５ｃを回動自在に係合させる。次いで、円柱軸１３ｄを中心に第１配索部材１３を矢印Ｂ方向に回動させて第１配索部材１３と第２配索部材１５を略直角に位置させ、配索経路１７に沿って電線（不図示）を曲げながら配索した後、カバー１１を開口１９、２１に被せるように第１配索部材１３および第２配索部材１５に取り付ける。尚、本実施形態においては、第１配索部材１３と第２配索部材１５を略直角に交差させて配置したが、第１配索部材１３と第２配索部材１５が形成する角度は０°から１８０°の任意の角度に設定可能である。例えば、第１配索部材１３と第２配索部材１５を底板１３ａと底板１５ａが平行になるように配置してもよい。
【００２８】
プロテクタ１００によれば、メカニカルヒンジを形成する第１配索部材１３の円柱軸１３ｄと第２配索部材１５の軸受部１５ｃとの係合が解除可能であり、よって第１配索部材１３と第２配索部材１５とが分離可能であるため、プロテクタ本体１１０を運搬時に嵩張らないように第１配索部材１３と第２配索部材１５とに容易に分解できる。従って、プロテクタ１００（より詳細には、プロテクタ本体１１０）の運搬性が向上する。このプロテクタ１００の運搬性の向上は、プロテクタ１００のリサイクルの上でも好ましい。また、第１配索部材と第２配索部材とが薄肉のヒンジと共に一体成形されたプロテクタ本体と異なり、本発明に係るプロテクタ本体１１０では第１配索部材１３と第２配索部材１５とを別々に成形できるので、第１配索部材１３と第２配索部材１５とに要求される例えば、耐熱性、機械的強度、等の特性がそれぞれ異なっても、要求される特性に適合する材料で第１配索部材１３および第２配索部材１５それぞれを容易に製作することができる。その上、第１配索部材１３および第２配索部材１５をそれらを形成する材料の種類に基づき容易に分別できるので、プロテクタ１００のリサイクル性が向上し、資源を有効に活用することができる。更に、円柱軸１３ｄおよび軸受部１５ｃを標準化すれば、例えば第１配索部材１３を共用部品として使用しながらも、要求される電線（不図示）の配索経路の形状に応じて形成された第２配索部材１５を準備することにより様々な形状のプロテクタ１００を安価に作製することができる。よって、形状の異なる第１配索部材を複数準備し且つ形状の異なる第２配索部材を複数準備しておけば、要求される電線（不図示）の配索経路や要求される特性に係る様々な仕様に応じて、第１配索部材と第２配索部材とを任意に組み合わせてプロテクタ１００（より詳細には、プロテクタ本体１１０）を形成することができる。
【００２９】
また、プロテクタ１００によれば、カバー１１が、円柱軸１３ｄと軸受部１５ｃとの係合箇所で屈曲されたプロテクタ本体１１０に取り付けられ、当該屈曲されたプロテクタ本体１１０が形成する配索経路１７に沿って電線（不図示）を曲げながら配索することができるので、複雑な形状の配索経路１７を比較的簡単な形状の第１配索部材１３および第２配索部材１５の組み合わせにより形成することができる。
【００３０】
（第２実施形態）
次に、本発明に係るプロテクタの第２実施形態について図５および図６を参照して説明する。尚、第２実施形態は、第１実施形態と多くの共通する部分を有しており、第１実施形態と共通する部分については同一符号または相当符号を付して明確化を図り説明を簡略化または省略する。
【００３１】
図５および図６に示されるように、本発明の第２実施形態であるプロテクタ２００は、第２配索部材３５の両側壁１５ｂ，１５ｂの外寸法Ｌ５が、第１配索部材３３の両側壁３３ｂ，３３ｂの外寸法Ｌ３よりも大きくなっている。即ち、第２配索部材３５の底板２５ａが幅広に形成され、底板２５ａの一端には比較的長い端面３５ａ，３５ａが間に軸受部１５ｃを挟むように形成されている。また、第１配索部材３３の両側壁３３ｂ，３３ｂは、板状突起部１３ｃ，１３ｃの端面と連続し且つ円柱軸１３ｄから離れるに従って徐々に円柱軸１３ｄの中心線Ｃから遠くなるように形成された円弧状縁面３３ａ，３３ａを有している。
【００３２】
板状突起部１３ｃ，１３ｃは、第１配索部材３３と第２配索部材３５を回動自在に係合させたとき、第２配索部材３５の底部２５ａの端面３５ａ，３５ａに対向する。そして、第１配索部材３３を軸部１３ｄの中心線Ｃを中心として矢印Ｄ方向に回動させると、やがて円弧状縁面３３ａ，３３ａが第２配索部材３５の端面３５ａ，３５ａに当接する。この当接状態から更に第１配索部材３３を矢印Ｄ方向に回動させると、円弧状縁面３３ａ，３３ａの端面３５ａ，３５ａへの押圧により軸部１３ｄを開放部２３側へ導く力が作用する。これにより、軸部１３ｄと軸受部１５ｃとの係合が解除される。従って、単に第１配索部材３３を矢印Ｄ方向に回動させるだけで、容易に第１配索部材３３と第２配索部材３５を分解することができる。
【００３３】
第２実施形態のプロテクタ２００の他の作用や効果については、第１実施形態の上記説明から容易に類推可能であるため説明を省略する。尚、第１配索部材３３の両側壁３３ｂ，３３ｂに円弧状縁面３３ａ，３３ａを形成したため、第１配索部材３３の両側壁３３ｂ，３３ｂにより配索経路１７を覆う範囲が小さくなるが、図５に示されるように、カバー３１の側壁３１ｂ，３１ｂをその分大きくして欠けた部分を補うと好ましい。
【００３４】
プロテクタ２００によれば、極めて簡単な操作によって短時間でプロテクタ本体２１０を容易に分解することができる。
【００３５】
（変形例）
図７には、一例としてプロテクタ１００のプロテクタ本体１１０をベースにしたプロテクタの変形例（プロテクタ３００）が示される。この変形例（プロテクタ３００）は、第１実施形態と多くの共通する部分を有しており、第１実施形態と共通する部分については同一符号または相当符号を付して明確化を図り説明を簡略化または省略する。また、カバーの図示は省略する。
【００３６】
プロテクタ３００のプロテクタ本体１１０Ａは、円柱軸１３ｄおよび軸受部１５ｃを標準化して予め準備された形状の異なる複数の第１配索部材１３、・・・および予め準備された形状の異なる複数の第２配索部材４５、・・・の中から選択された第１配索部材１３および第２配索部材４５を連結することにより形成される。尚、この変形例において、第１配索部材１３は第１実施形態と同様なものが用いられるが、第１配索部材１３を他の形状の異なるものに変更してもよい。
【００３７】
第２配索部材４５は、Ｌ字形状板の底板４５ａと、該底板４５ａの両端から立設されたＬ字形の一対の側壁４５ｂ，４５ｂとにより形成されており、底板４５ａの内面および側壁４５ｂ，４５ｂの内側面により画成されてＬ字形の空間として配索経路１７が形成されている。そして、第１配索部材１３と連結することにより３次元クランク状の配索経路１７が形成される。
【００３８】
プロテクタ３００によれば、選択された第１配索部材１３と第２配索部材４５との組み合わせにより、低コストで、電線（不図示）の配索のバリエーションが広がり、最適形状の配索経路１７を容易に形成することができる。プロテクタ３００の他の作用や効果については、第１実施形態および第２実施形態の上記説明から容易に類推可能であるため説明を省略する。尚、第２実施形態についても第１実施形態と同様にプロテクタ３００のように変形できることは言うまでもない。
【００３９】
尚、本発明は、前述した実施形態に限定されるものではなく、適宜、変形、改良、等が可能である。その他、前述した実施形態における各構成要素の材料、形状、寸法、数値、形態、数、配置箇所、等は本発明を達成できるものであれば任意であり、限定されない。
【図面の簡単な説明】
【００４０】
【図１】本発明に係るプロテクタの第１実施形態の斜視図である。
【図２】図１のプロテクタの分解斜視図である。
【図３】図２のプロテクタのプロテクタ本体の分解斜視図である。
【図４】図３において円ＩＶで囲まれた部分の拡大斜視図である。
【図５】本発明に係るプロテクタの第２実施形態の分解斜視図である。
【図６】図５において円ＶＩで囲まれた部分の拡大斜視図である。
【図７】本発明に係るプロテクタの変形例の分解斜視図である。
【図８】従来のプロテクタ（プロテクタ本体）の斜視図である。
【図９】図８における第２配索部材を矢印Ａ方向に回動させた状態を示す斜視図である。
【符号の説明】
【００４１】
１００：プロテクタ
１７：  配索経路
１３ｄ：円柱軸（軸部）
１３：  第１配索部材
１５ｃ：軸受部
１５：  第２配索部材
１１０：プロテクタ本体（第１プロテクタ部材）
１１：  カバー（第２プロテクタ部材）
２３：  開放部
３３ａ：円弧状縁面（第１配索部材の所定の部分）
３５ａ：端面（第２配索部材の所定の部分）
【図１】
2006067662.tif 000003
【図２】
2006067662.tif 000004
【図３】
2006067662.tif 000005
【図４】
2006067662.tif 000006
【図５】
2006067662.tif 000007
【図６】
2006067662.tif 000008
【図７】
2006067662.tif 000009
【図８】
2006067662.tif 000010
【図９】
2006067662.tif 000011